(57)【要約】【課題】一度開封されて再封緘された後に開封した場合に、既に開封されている痕跡が明確に残ることにより、秘匿情報を保護する優れた効果を発揮し得る情報隠蔽帳票を提案する。【解決手段】隠蔽紙片３が、本体紙片２の秘匿情報記入領域１８を被覆する内面の、該本体紙片２の各剥脱部と重なり合う部位に、各剥脱部毎にその長手方向に沿って接着される一又は複数に分断された接着層部５１〜５９を備えてなり、各剥脱部と接着層部５１〜５９との長手方向の接着長さを、接着相手の剥脱部の帯長さに比して２０％以上且つ８０％以下となるようにした構成である。一度開封した後に再封緘された状態で再開封すると、剥脱部が分裂して、その一部９１ｂ〜９９ｂが本体紙片２に残るため、再封緘された痕跡となる。【選択図】図７
2010241024.tif 000002
【特許請求の範囲】
【請求項１】
秘匿情報を記入するための秘匿情報記入領域に設けられた矩形状の本体紙片と、折り込み可能な折込線を介して本体紙片に連成された、該折込線で折り返すことにより本体紙片の秘匿情報記入領域を被覆する矩形状の隠蔽紙片とを備えてなるものであって、
本体紙片が、その秘匿情報記入領域の外側部位に、折込線を除く該本体紙片の三辺に沿って夫々形成された、ハーフカット状の切り込み線により囲繞されてなる帯状の剥脱部を備えると共に、
隠蔽紙片は、前記秘匿情報記入領域を被覆する内面の、前記した各剥脱部と重なり合う部位に、各剥脱部毎にその長手方向に沿って接着される一又は複数に分断された接着層部を備えてなり、各剥脱部と接着層部との長手方向の接着長さを、接着相手の剥脱部の帯長さに比して２０％以上且つ８０％以下となるようにしたものであることを特徴とする情報隠蔽帳票。
【請求項２】
隠蔽紙片または／および本体紙片の一角縁を開封開始縁として設定しているものであって、
隠蔽紙片の接着層部は、その長手方向に沿った開封開始縁側の側縁部を、接着相手の剥脱部から開封開始縁側へはみ出し、且つ長手方向で最も開封開始縁側となる先端部を、当該剥脱部の開封開始縁側の端縁に近接するように形成していることを特徴とする請求項１に記載の情報隠蔽帳票。
【請求項３】
本体紙片の剥脱部は、その帯幅方向に横断するハーフカット状の切り込み横断線が一又は複数形成されて、複数の剥脱区画部に区画されてなると共に、
隠蔽紙片の接着層部は、その長手方向で開封開始縁側となる先端部を、切り込み横断線又は当該剥脱部から開封開始縁側へはみ出し、且つ長手方向の末端部を剥脱区画部の内寄り部位に接着するように形成されていることを特徴とする請求項１又は請求項２に記載の情報隠蔽帳票。
【請求項４】
隠蔽紙片の接着層部が、その長手方向で複数に分断されて間欠的に配列された複数の分断接着部から構成されてなり、各分断接着部が、その開封開始縁側となる分断先端部を、剥脱部に設けられた切り込み横断線から開封開始縁側へはみ出し、且つ分断末端部を剥脱区画部の内寄り部位に接着するように形成されていることを特徴とする請求項３に記載の情報隠蔽帳票。
【請求項５】
本体紙片は、各剥脱部の周囲の、隠蔽紙片の接着層部と接着する領域に、離型剤を塗布した離型層部を形成するようにしていることを特徴とする請求項２乃至請求項４のいずれか１項に記載の情報隠蔽帳票。
【請求項６】
隠蔽紙片の接着層部は、エマルジョン接着剤により形成されてなるものであることを特徴とする請求項１乃至請求項５のいずれか１項に記載の情報隠蔽帳票。
【発明の詳細な説明】
【技術分野】
【０００１】
本発明は、秘匿情報を隠蔽すると共に、取り扱い性に優れた情報隠蔽帳票に関する。
【背景技術】
【０００２】
情報隠蔽帳票としては、例えば、秘匿情報を記入する基材に、該秘匿情報の記入領域を被覆するように所定のシート材などを剥離可能に接着する構成のものが知られており、このような情報隠蔽帳票として、隠蔽葉書が使用されている。
【０００３】
上記した隠蔽葉書としては、例えば特許文献１のように、本体基材と隠蔽基材とが折り線を介して連成されてなり、隠蔽基材に、折り線と対向する一辺に沿って剥離不能な強接着剤部が設けられ、且つ該強接着剤部を含む区画領域をハーフカット線により区画している構成が提案されている。かかる構成の隠蔽葉書にあっては、隠蔽基材を折り線で折り返してその強接着剤部を本体基材に接着することにより、該本体基材に記入した秘匿情報を隠蔽することができる。そして、郵送後に隠蔽基材を本体基材から剥がす際には、その両者が強接着剤部により接着しているため、隠蔽基材のハーフカット線により区画された区画領域で用紙がその厚み方向に引き裂くように剥がれて（以下、紙間剥離という）、該区画領域が隠蔽基材からむしり取られる。これにより、隠蔽基材を本体基材から引き剥がすことができ、秘匿情報を知得できる。さらに、隠蔽基材と本体基材とを接着すると、上記したように隠蔽基材をむしり取らねば開封できず、開封後にはむしり取った痕跡が残り、開封された証拠となる。このように、特許文献１の構成は、高い秘密保持性を有するものとなっている。
【先行技術文献】
【特許文献】
【０００４】
【特許文献１】特開２００５−３０５９５６号公報
【発明の概要】
【発明が解決しようとする課題】
【０００５】
上記した特許文献１の構成にあっては、細幅の強接着剤部を含む細幅の区画領域が設けられており、該区画領域により、隠蔽基材を本体基材から引き剥がす際にむしり取られる領域が制限されている。このように比較的正確に区画領域をむしり取るようにした構成にあっては、該区画領域を強接着剤部により充分に支持できる範囲（広さ）とするように、強接着剤部に比して若干大きな広さの区画領域を設定している。ところで、この従来構成にあっては、区画領域を比較的正確にむしり取ることができる反面、その後、スティック糊等により容易に再接着することが可能である。そして、再接着後に引き剥がしても、再接着した区画領域で再度むしり取られることから、前に引き剥がした痕跡が分かり難い。すなわち、仮に他人が先に開封して秘匿情報を知得しても、該秘匿情報を他人が知ったことも分からないため、秘匿情報を悪用されてしまうことも考えられ得る。このように、従来構成にあっては、所望の秘密保持性を発揮できないという問題があった。
【０００６】
本発明は、開封した痕跡が確実に残り、秘匿情報の秘密保持性に優れた情報隠蔽帳票を提案するものである。
【課題を解決するための手段】
【０００７】
本発明は、秘匿情報を記入するための秘匿情報記入領域に設けられた矩形状の本体紙片と、折り込み可能な折込線を介して本体紙片に連成された、該折込線で折り返すことにより本体紙片の秘匿情報記入領域を被覆する矩形状の隠蔽紙片とを備えてなるものであって、本体紙片が、その秘匿情報記入領域の外側部位に、折込線を除く該本体紙片の三辺に沿って夫々形成された、ハーフカット状の切り込み線により囲繞されてなる帯状の剥脱部を備えると共に、隠蔽紙片は、前記秘匿情報記入領域を被覆する内面の、前記した各剥脱部と重なり合う部位に、各剥脱部毎にその長手方向に沿って接着される一又は複数に分断された接着層部を備えてなり、各剥脱部と接着層部との長手方向の接着長さを、接着相手の剥脱部の帯長さに比して２０％以上且つ８０％以下となるようにしたものであることを特徴とする情報隠蔽帳票である。
【０００８】
本構成にあって、接着層部としては、分断されていない一体形のものと、複数に分断されたものとのいずれか一方のみを備える構成であっても良いし、両者を夫々に備えた構成であっても良い。そして、複数に分断された接着層部の場合には、夫々に分断された各部位（以下、分断接着部という）が、長手方向に沿って間欠的に列設されてなり、これら各分断接着部と剥脱部とを接着した長さを合計した長さが接着長さとなる。また、複数に分断された場合には、各分断接着部と剥脱部とを接着した夫々の長さが、それぞれ異なる長さでも良いし、全て同じ長さとしても良い。
【０００９】
かかる構成は、隠蔽紙片を折込線で折り返して本体紙片に重ね合わせて各接着層部を該本体紙片と接着することにより封緘し、その後、開封すると、各接着層部と夫々に接着した剥脱部が紙間剥離することにより本体紙片からむしり取られる。ここで、各剥脱部毎に接着した接着層部は、剥脱部との接着長さを剥脱部の帯長さに比して短くなるようにしていることから、剥脱部には接着層部と直接接着していない未接着部位もあるが、該未接着部位でも、接着層部と直接接着した接着部位に生じた紙間剥離が連続して生じてむしり取られる。これは、接着層部の接着長さが、接着相手の剥脱部の帯長さに比して２０％以上としていることに因る。一方、前記のように一度開封した後に、仮に、引き剥がした剥脱部にスティック糊等を塗布して再封緘されると、その後に開封する場合に、該剥脱部は、接着層部との接着部位が本体紙片から引き剥がされるが、接着層部との未接着部位が本体紙片と接着したまま剥がれ難いことから、引き裂かれて分離する。そのため、剥脱部の一部分（主として未接着部位の一部）が本体紙片に残った状態となる。すなわち、この本体紙片に残った剥脱部の一部分が、開封された後に再封緘したことを示す痕跡となる。このように、本構成にあっては、封緘後に一度開封すれば、例えその後再封緘しても前に開封した痕跡を確実に残すことができることから、極めて高い秘密保持性を有するものである。
【００１０】
ここで、各剥脱部に接着される一又は複数に分断された接着層部としては、その接着長さを接着相手の剥脱部の帯長さに比して８０％以下とすることにより、上述したように、一度開封して再封緘した後に再開封した場合に、再封緘した痕跡を確実に残すことができる。尚、接着長さが８０％より大きいと、再封緘した後の再開封により、剥脱部の全範囲を引き剥がし易くなるため、前記した痕跡が残り難くなる（又は、分かり難くなる）。一方、接着長さを剥脱部の帯長さに比して２０％以上とすることにより、通常の封緘後に最初に開封する際に、切り込み線により囲繞された剥脱部の全範囲を安定してむしり取ることができる。尚、接着長さが２０％より小さいと、正規に開封する際にも、剥脱部の全範囲で紙間剥離を生じ難くなるため、該剥脱部の一部分が分裂して本体紙片側に残ってしまい易い。このような接着長さとしては、接着相手の剥脱部の帯長さに比して４０％以上とすることが好適であり、さらに７０％以下とすることが好適である。
【００１１】
上述した情報隠蔽帳票としては、隠蔽紙片または／および本体紙片の一角縁を開封開始縁として設定しているものであって、隠蔽紙片の接着層部は、その長手方向に沿った開封開始縁側の側縁部を、接着相手の剥脱部から開封開始縁側へはみ出し、且つ長手方向で最も開封開始縁側となる先端部を、当該剥脱部の開封開始縁側の端縁に近接するように形成している構成が提案される。
【００１２】
かかる構成にあっては、封緘された隠蔽紙片および本体紙片を開封開始縁から開封する際に、剥脱部を、その開封開始縁側の端縁から紙間剥離を生じさせ易く、本体紙片から正確かつ容易にむしり取ることができる。そして、正規に開封する際に、剥脱部の開封開始縁側の端縁部位が本体紙片から引き剥がされずに残ってしまうことがない。また、本構成にあっては、開封開始縁が設定されていることことから、開封する方向が定まるため、上述のように、剥脱部の帯長さに比して短い接着長さとする接着層部を形成した場合にあっても、各剥脱部を容易かつ安定してむしり取ることができる。そして、仮に再封緘した後に再開封した場合に、一度開封された痕跡を残すという本発明の作用効果を一層適正に生じ得る。
【００１３】
ここで、剥脱部の開封開始縁側の端縁に近接する接着層部の先端部としては、該先端部が、剥脱部から開封開始縁側へはみ出していても良いし、はみ出さないようにしても良い。
【００１４】
上述した情報隠蔽帳票にあって、本体紙片の剥脱部は、その帯幅方向に横断するハーフカット状の切り込み横断線が一又は複数形成されて、複数の剥脱区画部に区画されてなると共に、隠蔽紙片の接着層部は、その長手方向で開封開始縁側となる先端部を、切り込み横断線又は当該剥脱部から開封開始縁側へはみ出し、且つ長手方向の末端部を剥脱区画部の内寄り部位に接着するように形成されている構成が提案される。
【００１５】
かかる構成にあっては、剥脱部を複数の剥脱区画部に区画していることから、接着層部と接着した剥脱区画部で比較的容易に紙間剥離を生じさせ易く、当該剥脱区画部をむしり引ることができ得る。特に、切り込み横断線から先端部をはみ出すようにしている場合には、当該切り込み線から紙間剥離を生じ易く、当該切り込み線により区画された剥脱区画部を安定してむしり取ることができ得る。また、接着層部の末端部を、剥脱区画部の内寄り部位に接着していることにより、再封緘した後に再開封した場合に、剥脱区画部の非接着部位で分裂した痕跡が本体紙片に残る。これにより、一度開封された痕跡を残すという本発明の作用効果が適正に生じ得る。
【００１６】
上述した情報隠蔽帳票にあって、隠蔽紙片の接着層部が、その長手方向で複数に分断されて間欠的に配列された複数の分断接着部から構成されてなり、各分断接着部が、その開封開始縁側となる分断先端部を、剥脱部に設けられた切り込み横断線から開封開始縁側へはみ出し、且つ分断末端部を剥脱区画部の内寄り部位に接着するように形成されている構成が提案される。
【００１７】
かかる構成にあっては、接着層部を構成する分断接着部が、切り込み横断線からはみ出すように接着されていることから、当該切り込み横断線から紙間剥離を生じ易く、分断接着部を接着した剥脱区画部を安定してむしり取ることができる。また、分断接着部の分断末端部を剥脱区画部の内寄り部位に接着していることから、再封緘した後に再開封した場合に、剥脱区画部が分裂した痕跡が本体紙片に残る。これにより、一度開封された痕跡を残すという本発明の作用効果が適正に生じ得る。
【００１８】
上述した情報隠蔽帳票にあって、本体紙片は、各剥脱部の周囲の、隠蔽紙片の接着層部と接着する領域に、離型剤を塗布した離型層部を形成するようにしている構成が提案される。
【００１９】
かかる構成にあっては、接着層部の側縁部や始端部を剥脱部からはみ出すように形成した場合にあっても、離型層部により剥脱部以外で紙間剥離してしまうことを確実に防止することができる。
【００２０】
上述した情報隠蔽帳票にあって、隠蔽紙片の接着層部は、エマルジョン接着剤により形成されてなるものであるとした構成が提案される。
【００２１】
ここで、エマルジョン接着剤は、印刷等によって、所望の形状パターンに正確かつ安定して塗布することができるため、比較的多量の生産に適している。そして、精度良く塗布することができることにより、接着相手の剥脱部に重ね合わされる部位に、接着剤層を正確に形成することができる。そのため、上述したように、側縁部や先端部をはみ出すように形成する構成を、安定して得ることができ、その作用効果を適正に発揮することができる。
【発明の効果】
【００２２】
本発明の情報隠蔽帳票は、上述したように、隠蔽紙片が、本体紙片の秘匿情報記入領域を被覆する内面の、該本体紙片の各剥脱部と重なり合う部位に、各剥脱部毎にその長手方向に沿って接着される一又は複数に分断された接着層部を備えてなり、各剥脱部と接着層部との長手方向の接着長さを、接着相手の剥脱部の帯長さに比して２０％以上且つ８０％以下となるようにした構成であるから、本体紙片と隠蔽紙片とを封緘した後に正規に開封する場合には、接着層部と接着した各剥脱部で紙間剥離を生じて本体紙片からむしり取られることにより、隠蔽紙片と本体紙片とを開封することができる。そして、仮に、開封後に引き剥がした剥脱部にスティック糊等を塗布することにより再封緘された場合、その後の開封の際に、剥脱部と接着層部との接着部位が本体紙片から引き剥がされ、接着層部との未接着部位が剥がれ難いために、剥脱部が引き裂かれて分裂し、該剥脱部の一部が本体紙片に残ってしまう。この痕跡により、開封された後に再封緘されたことがわかる。したがって、本構成によれば、不正に開封して再封緘した場合にも、その痕跡を残すことができるため、秘匿情報を保護する効果が極めて高い。
【００２３】
上述した情報隠蔽帳票にあって、隠蔽紙片の接着層部が、一角縁に設定された開封開始縁側の側縁部を、接着相手の剥脱部から開封開始縁側へはみ出し、且つ長手方向で最も開封開始縁側となる先端部を、当該剥脱部の開封開始縁側の端縁に近接するように形成した構成の場合には、剥脱部を、開封開始縁側の端縁から紙間剥離を生じさせ易く、比較的容易かつ安定してむしり取ることができる。そして、再封緘された場合にも、一度開封された痕跡を残すことができるため、秘匿情報の保護効果に優れるという本発明の作用効果を一層適正に奏し得る。
【００２４】
上述した情報隠蔽帳票にあって、本体紙片の剥脱部が、ハーフカット状の切り込み横断線により複数の剥脱区画部に区画されてなると共に、隠蔽紙片の接着層部が、その先端部を、切り込み横断線又は当該剥脱部から開封開始縁側へはみ出し、且つ末端部を剥脱区画部の内寄り部位に接着するように形成された構成の場合には、接着層部と接着した剥脱区画部で紙間剥離を生じさせ易く、当該剥脱区画部を容易かつ安定してむしり取ることができる。そして、再封緘された場合にも一度開封された痕跡が残るため、本発明の作用効果を適正に発揮し得る。
【００２５】
上述した情報隠蔽帳票にあって、隠蔽紙片の接着層部が、間欠的に配列された複数の分断接着部から構成されてなり、各分断接着部の分断先端部を、切り込み横断線から開封開始縁側へはみ出し、且つ分断末端部を剥脱区画部の内寄り部位に接着するように形成された構成の場合には、各分断接着部と接着した剥脱区画部を容易かつ安定してむしり取ることができる。そして、再封緘された場合にも一度開封された痕跡が残るため、本発明の作用効果を適正に発揮し得る。
【００２６】
上述した情報隠蔽帳票にあって、本体紙片は、各剥脱部の周囲の、隠蔽紙片の接着層部と接着する領域に、離型剤を塗布した離型層部を形成するようにしている構成の場合には、剥脱部以外で紙間剥離してしまうことを防止することができ、該剥脱部を容易かつ安定してむしり取ることができ得る。
【００２７】
上述した情報隠蔽帳票にあって、隠蔽紙片の接着層部は、エマルジョン接着剤により形成されてなるものであるとした構成の場合には、接着層部を所望の形成位置に所望の寸法形状で正確かつ安定して形成することができるため、上述した本発明の作用効果を安定かつ正確に発揮するものを容易に得ることができる。
【図面の簡単な説明】
【００２８】
【図１】本実施例の隠蔽葉書１の、本体紙片２と隠蔽紙片３との封緘前の状態を示す平面図である。
【図２】（Ａ）隠蔽葉書１に離型シート３１が貼り付けられた状態と、（Ｂ）離型シート３１を剥がした状態とを示す斜視図である。
【図３】（Ａ）隠蔽紙片３を折込線１１で折り返して本体紙片２に接着した封緘状態と、（Ｂ）隠蔽紙片３を本体紙片２から引き剥がした開封状態とを示す説明図である。
【図４】図３（Ａ）におけるＰ−Ｐ断面を示す説明図である。
【図５】（Ａ）図４と同じＰ−Ｐ断面図で接着長さＸ１〜Ｘ９と帯長さＹ１〜Ｙ９との関係を示す説明図と、（Ｂ）封緘後に開封した状態を示す平面図である。
【図６】隠蔽紙片３と本体紙片２との封緘から開封までの過程を、接着層部５７と剥脱部２７との関係により説明する拡大断面図である。
【図７】一度開封した隠蔽紙片３を再封緘した後に開封した状態を示す平面図である。
【図８】一度開封した後に、隠蔽紙片３と本体紙片２との再封緘から再開封までの過程を、接着層部５７と剥脱部２７との関係により説明する拡大断面図である。
【発明を実施するための形態】
【００２９】
本発明にかかる実施例を、添付図面を用いて詳述する。ここで、隠蔽葉書１が、本発明にかかる情報隠蔽帳票であり、往復葉書として構成している。
図１は、隠蔽葉書１の、その隠蔽紙片３を本体紙片２に接着する前の状態を示す平面図であり、図２は斜視図である。隠蔽紙片３と本体紙片２とは、同じ寸法形状の矩形状を成し、折込線１１を介して連成されている。
【００３０】
ここで、本体紙片２の内面（図１の正面）には、折込線１１を除く三辺にそれぞれ沿うように、帯状の剥脱部２１〜２９が夫々設けられている。各剥脱部２１〜２９は、それぞれハーフカット状の切り込み線３１〜３９により囲繞されている。そして、本体紙片２の上辺に沿って形成された剥脱部２１は、該上辺に沿って長尺状に形成されており、上下方向に横断するように形成された複数の切り込み横断線３１ａにより、複数の剥脱区画部２１ａ〜２１ｈに区画されている。尚、当該剥脱部２１の右端近傍に切り込み横断線３１ａが形成されており、その他は、二本の切り込み横断線３１ａを隣接して一対の二重線となるように夫々設けている。
【００３１】
本体紙片２の側辺に沿って形成された５個の剥脱部２２〜２６には、それぞれ１本づつ切り込み横断線３２ａ〜３６ａが形成されている。各切り込み横断線３２ａ〜３６ａは、各剥脱部２２〜２６の下端近傍に形成されており、各剥脱部２２〜２６を、下側の小さな剥脱区画部２２ａ〜２６ａと上側の大きな剥脱区画部２２ｂ〜２６ｂとに区画している。
【００３２】
本体紙片２の下辺に沿って形成された３個の剥脱部２７〜２９には、それぞれ１本づつ切り込み横断線３７ａ〜３９ａが形成されている。各切り込み横断線３７ａ〜３９ａは、各剥脱部２７〜２９の右端近傍に形成されており、各剥脱部２７〜２９を、右側の小さな剥脱区画部２７ａ〜２９ａと左側の大きな剥脱区画部２７ｂ〜２９ｂとに区画している。
【００３３】
尚ここで、ハーフカット状の切り込み線３１〜３９および切り込み横断線３１ａ〜３９ａとしては、本体紙片２を構成する用紙を、その厚み方向で貫通しない程度に切り込むようにして形成されており、本実施例にあっては、用紙の厚みの約半分まで切り込まれてなる（図５参照）。
【００３４】
また、この本体紙片２の内面には、前記各剥脱部２１〜２９と折込線１１とにより囲繞される内側に、所定の秘匿情報を記入するための秘匿情報記入領域１８が設けられている。この秘匿情報記入領域１８は、隠蔽紙片３を折込線１１で折り返して本体紙片２に重ねることにより、該隠蔽紙片３で被覆される。尚、本実施例にあって、本体紙片２の外面（図１における裏面）は、返信用の宛名が記載されるようになっており、往復葉書の返信用の表紙となる（図示せず）。
【００３５】
一方、隠蔽紙片３の、本体紙片２の内面と連続する内面（図１の正面）には、当該隠蔽紙片３を折込線１１で折り返した場合に本体紙片２の各剥脱部２１〜２９と夫々重なり合う部位に、所定の接着剤を塗布してなる略長方形状の接着層部５１〜５９が夫々設けられている。各接着層部５１〜５９は、相対する剥脱部２１〜２９と同様に、折込線１１を除く隠蔽紙片３の三辺に沿って形成されている。
【００３６】
尚、本実施例にあって、各接着層部５１〜５９は、エマルジョン接着剤を印刷等することにより塗布して形成されている。ここで、エマルジョン接着剤としては、酢酸ビニル、ＥＶＡ、アクリルなどの合成樹脂ポリマーを水中で均一に分散させた水性接着剤である。そのため、印刷などにより、所定位置に所定の塗布パターン形状で精度良く形成することができる。そして、エマルジョン接着剤を用いることによって、本実施例の接着層部としては、約５ｍｍの長さ（及び幅）形状とする場合にも正確に形成することも可能であることから、各接着層部５２〜５９および接着層部５１を構成する分断接着部６１〜６４を、それぞれ５ｍｍ以上の長さとなるように形成している。また、エマルジョン接着剤は、前記のように水性接着剤であることから、厳密に観ると、その外周縁部分が徐々に薄肉化している。すなわち、エマルジョン接着剤により形成された接着層部５１〜５９は、所定層厚みの内部接着領域７１と該内部接着領域７１から外方へ延出した端ダレ領域７２とから構成されている（図６参照）。この内部接着領域７１では、所望の接着力を発揮し、端ダレ領域７２では、内部接着領域７１に比して接着力が低減する。ここで、内側接着領域７１は、その層厚みが、充分な接着力を発揮する１０〜３０μｍとするように設定しており、この１０μｍ未満となる外周縁部位が端ダレ領域７２となる。尚、接着層部５１は、後述するように、複数の分断接着部６１〜６４に分断されていることから、各分断接着部６１〜６４がそれぞれ、内部接着領域７１と端ダレ領域７２とから構成されている。
【００３７】
本体紙片２の剥脱部２１に重なる接着層部５１は、その長手方向に沿って複数に分断されて間欠的に一列に配列された略長方形状の分断接着部６１〜６４により構成されている。ここで、図１における最も左方（図４中では右方）に配設された分断接着部６１の左端（図４中では右端）となる当該接着層部５１の先端部５１ａは、図４のように接着相手の剥脱部２１と重ね合わせた場合に、該剥脱部２１の右端縁近傍に形成された切り込み横断線３１ａから右方へはみ出すように形成されている。そして、この分断接着部６１の分断末端部６１ｂは、当該剥脱部２１の剥脱区画部２１ｂの内寄り部位に重なるように形成されている。また、他の分断接着部６２〜６４は、図４のように重ね合わせた場合に、それぞれの右端（図１中では左端）となる分断先端部６２ａ〜６４ａが、一対の切り込み横断線３１ａ，３１ａの、その左側の切り込み横断線３１ａから右方へはみ出すように形成されている。そして、分断接着部６２，６３の左端（図１中では右端）となる分断末端部６２ｂ，６３ｂおよび分断接着部６４の左端（図１中では右端）となる当該接着層部５１の末端部５１ｂが、当該剥脱部２１の剥脱区画部２１ｄ，２１ｆ，２１ｈの各内寄り部位に夫々重なるように形成されている。さらに、この接着層部５１は、その各分断接着部６１〜６４の長手方向に沿った下側の分断側端縁６１ｃ〜６４ｃを、当該剥脱部２１の下端から下方へはみ出すように形成されている。そして、各分断接着部６１〜６４の上側の分断側端縁（図示省略）は、当該剥脱部２１内と重なるように形成されている。尚、各分断接着部の下側の分断側端縁６１ｃ〜６４ｃにより、当該接着層部５１の下側の側端縁を構成しており、上側の分断側端縁により、当該接着層部５１の上側の側端縁を構成している。
【００３８】
この接着層部５１は、図５（Ａ）のように、各分断接着部６１〜６４が本体紙片２の剥脱部２１に接着した場合に、その長手方向の接着長さＸ１（＝ｘ１＋ｘ２＋ｘ３＋ｘ４）が、剥脱部２１の長さＹ１に比して４０％〜６０％の長さとなるように各分断接着部６１〜６４の寸法形状を夫々設定している。ここで、接着層部５１の接着長さＸ１は、各分断接着部６１〜６４と剥脱部２１とが夫々に接着する接着長さｘ１〜ｘ４の合計である。このように接着長さＸ１（ｘ１〜ｘ４）を設定することにより、この接着層部５１と剥脱部２１との接着後に開封する際に、該剥脱部２１をその切り込み線３１に囲繞された範囲全体で紙間剥離を生じさせることができ、剥脱部２１を本体紙片２からむしり取ることができる。尚、剥脱部２１の、分断接着部６１〜６４と接着していない非接着部位にあっても、該分断接着部６１〜６４が強固に接着している接着部位により引っ張られてむしり取られる（図６参照）。
【００３９】
さらに、接着層部５１を構成する各分断接着部６１〜６４にあっては、上述したように、内部接着領域７１と端ダレ領域７２とから構成されている（図示省略）。詳述すれば、各分断接着部６１〜６４の外周縁部位となる、上記した先端部５１ａ、末端部５１ｂ、分断先端部６２ａ〜６４ａ、分断末端部６１ｂ〜６３ｂ、下側の分断側端縁６１ｃ〜６４ｃ、上側の分断側端縁（図示省略）を、前記端ダレ領域７２により構成し、これら外周縁部位の内側を内部接着領域７１により構成している。そのため、各分断側端縁６１ｃ〜６４ｃを、本体紙片２の剥脱部２１から下方へはみ出して接着した場合であっても、その接着力が比較的弱いことから、比較的容易に剥がすことができ、剥脱部２１の周囲が破損することを抑制する効果が高い。一方、各分断接着部６１〜６４は、その各内部接着領域７１が剥脱部２１と比較的強く接着することから、開封する際には、当該剥脱部２１を、その切り込み線３１で囲繞された領域内で紙間剥離を生じてむしり取り易くなっている。
【００４０】
本体紙片２の側辺に沿った剥脱部２２〜２６と重なる接着層部５２〜５６は、図４のように重ね合わせた場合に、その下端となる先端部５２ａ〜５６ａを、各剥脱部２２〜２６の切り込み横断線３２ａ〜３６ａから下方へはみ出すように形成し、その上端となる末端部５２ｂ〜５６ｂを、剥脱区画部２２ｂ〜２６ｂの内寄り部位に接着されるように形成している。さらに、各接着層部５２〜５６の右側（図１中では左側）の側端縁５２ｃ〜５６ｃを、夫々の剥脱部２２〜２６の右端から右方へはみ出すようにし、左側の側端縁（図示省略）を各剥脱部２２〜２６内と重なるようにして形成されている。これら接着層部５２〜５６にあっても、その外周縁部位となる先端部５２ａ〜５６ａと末端部５２ｂ〜５６ｂと左右の側端縁５２ｃ〜５６ｃとが、端ダレ領域７２により構成されており、その内側が内部接着領域７１により構成されている（図示省略）。そのため、各側端縁５２ｃ〜５６ｃが、本体紙片２の剥脱部２２〜２６の右方へはみ出して接着しても、開封の際に該剥脱部２２〜２６の周囲で破損することを抑制できると共に、各剥脱部２２〜２６を、その切り込み線３２〜３６で囲繞された領域内で紙間剥離を生じてむしり取り易い。
【００４１】
ここで、各接着層部５２〜５６は、図５（Ａ）のように、夫々の接着相手である剥脱部２２〜２６との接着長さＸ２〜Ｘ６が、各剥脱部２２〜２６の帯長さＹ２〜Ｙ６に比して４０％〜６０％となるように、夫々の寸法形状を設定している。これにより、各接着層部５２〜５６と剥脱部２２〜２６とを接着した後に開封する際に、上述した接着層部５１の場合と同様、各剥脱部２２〜２６をその全域で紙間剥離させてむしり取ることができる。
【００４２】
本体紙片２の下辺に沿った剥脱部２７〜２９と重なる接着層部５７〜５９は、図４のように重ね合わせた場合に、その右端（図１中では左端）となる先端部５７ａ〜５９ａを、各剥脱部２７〜２９の切り込み横断線３７ａ〜３９ａから右方へはみ出すように形成し、その左端（図１中では右端）となる末端部５７ｂ〜５９ｂを、剥脱区画部２７ｂ〜２９ｂの内寄り部位に接着されるように形成している。さらに、各接着層部５７〜５９の下側の側端縁５７ｃ〜５９ｃを、夫々の剥脱部２７〜２９の下端から下方へはみ出すようにし、上側の側端縁（図示省略）を各剥脱部２７〜２９内と重なるようにして形成されている。これら接着層部５７〜５９にあっても、その外周縁部位となる先端部５７ａ〜５９ａと末端部５７ｂ〜５９ｂと上下の側端縁５７ｃ〜５９ｃとが、端ダレ領域７２により構成されており、その内側が内部接着領域７１により構成されている（図示省略）。そのため、各側端縁５７ｃ〜５９ｃが、本体紙片２の剥脱部２７〜２９から下方へはみ出して接着しても、開封の際に剥脱部２７〜２９の周囲で破損することを抑制できると共に、各剥脱部２７〜２９を、その切り込み線３７〜３９で囲繞された領域内で紙間剥離を生じて引き剥がすことができる。
【００４３】
ここで、各接着層部５７〜５９は、図５（Ａ）のように、夫々の接着相手である剥脱部２７〜２９との接着長さＸ７〜Ｘ９が、各剥脱部２７〜２９の長手方向の長さＹ７〜Ｙ９に比して４０％〜６０％となるように、夫々の寸法形状を設定している。これにより、各接着層部５７〜５９と剥脱部２７〜２９とを接着した後に開封する際に、上述した接着層部５１〜５６の場合と同様、各剥脱部２７〜２９をその全域で紙間剥離させてむしり取ることができる。
【００４４】
また、本体紙片２の内面の、剥脱部２１〜２９の周囲には、図１，４のように、メジウムインキを塗布した離型層部６７が夫々形成されている。各離型層部６７は、隠蔽紙片３と重ね合わせた際に、上記した接着層部５１の分断側端縁６１ｃ〜６４ｃと接着層部５２〜５９の側端縁５２ｃ〜５９ｃと夫々重なる。そのため、開封する際に、分断側端縁６１ｃ〜６４ｃと側端縁５２ｃ〜５９ｃと容易に離型することができ、破損等を生じない。
【００４５】
また、本実施例にあっては、図１，２のように、隠蔽紙片３の内面の、各接着層部５１〜５９の内側領域に、再剥離可能な接着剤を塗布してなる再剥離層部６８が設けられている。この再剥離層部６８の接着剤は、上記した本体紙片２に接着した後、破損することなく容易に引き剥がすことができ、再び接着することができるものである。すなわち、再剥離層部６８は、接着と剥離とを繰り返すことが可能である。これに対して、接着層部５１〜５９の接着剤は、一度接着してしまうと引き剥がすことができない所定の接着力を有するものである。
【００４６】
また、隠蔽紙片３と本体紙片２とを連成する折込線１１は、該隠蔽紙片３を本体紙片２の秘匿情報記入領域１８を覆うように折り曲げ易くするようにすると共に、折り返した際に隠蔽紙片３と本体紙片２とが比較的正確に重なり合うように形成されている。
【００４７】
また、隠蔽紙片３には、図１のように、折込線１１に対向する側辺と下辺とが交わる角縁の外面（図１における裏面）に、開封の開始端であることを示す記載が印刷されている（図示省略）。この記載としては、例えば、開封方向を示す矢印や「ここから開封して下さい」というものである。このように開封を開始する部位であることを示す記載がされていることにより、封緘された隠蔽紙片３と本体紙片２とを開封する際に、その開封を開始する部位（角縁）が明確化され、当該部位から開封開始するように促すことができる。この開封開始を促す記載が印刷された角縁により、本発明にかかる開封開始端１６を構成している。
【００４８】
本実施例の隠蔽葉書１には、図２のように、隠蔽紙片３の内面を略全体的に覆うように離型シート７０が再剥離可能に接着されている。この離型シート７０は、隠蔽紙片３の内面に対向して貼り付けられる裏面の全域に所定の離型剤が塗布された離型面を備えている。そして、離型シート７０が、隠蔽紙片３の内面を覆うにようにして貼り付けられており、該隠蔽紙片３の接着層部５１〜５９と再剥離層部６８との各接着剤の劣化を防ぐようにしている。さらに、この離型シート７０の表面には、往復葉書としての往信用の宛名が記載されるようになっており、往信の際の表紙となる。
【００４９】
次に、上述した隠蔽葉書１を使用する方法について説明する。
本実施例の隠蔽葉書１は、上述したように往復葉書であり、上記した離型シート７０の表面に記載された往信用の宛名に従って、郵送される。尚、この際には、隠蔽葉書１は、隠蔽紙片３と本体紙片２とが接着されておらず、折込線１１で折り曲げずに郵送されるか、隠蔽紙片３と本体紙片２の各外面が対向するように折込線１１で折り曲げて郵送される。
【００５０】
この隠蔽葉書１は、往信先の受取人により、本体紙片２の秘匿情報記入領域１８に所定の秘匿情報を記入されて返信される。すなわち、秘匿情報記入領域１８に秘匿情報を記入すると、図２（Ｂ）のように、隠蔽紙片３の内面に接着されている離型シート７０を引き剥がす。ここで、離型シート７０は、上述したように、その離型面（図示省略）を隠蔽紙片３の内面に接着していることから、該隠蔽紙片３の接着層部５１〜５９および再剥離層部６８から比較的容易に引き剥がすことができる。その後、図３のように、折込線１１で隠蔽紙片３を折り返して、該隠蔽紙片３の内面と本体紙片２の内面とが対面して重なるように、この両者を重ね合わせる。これにより、隠蔽紙片３の接着層部５１〜５９が、本体紙片２の剥脱部２１〜２９に夫々接着すると共に、隠蔽紙片３の再剥離層部６８が、本体紙片２の内面に接着する（図４参照）。
【００５１】
このように隠蔽紙片３と本体紙片２とを接着した状態で、接着層部５１は、図４のように、各分断接着部６１〜６４が剥脱部２１に夫々接着しており、夫々の下側の側端縁６１ｃ〜６４ｃが剥脱部２１から下方へはみ出している。さらに、各分断接着部６１〜６４の先端部５１ａおよび分断先端部６２ａ〜６４ａが、剥脱部２１の、一対の切り込み横断線３１ａ間に左側からはみ出していると共に、分断末端部６１ｂ〜６３ｂおよび末端部５１ｂが各剥脱区画部２１ｂ，２１ｄ，２１ｆ，２１ｈの各内寄り部位に接着している。
【００５２】
同様に、接着層部５２〜５６は、図４のように、各剥脱部２２〜２６に夫々接着しており、右側（図１，２の折り返す前では左側）の側端縁５２ｃ〜５６ｃが剥脱部２２〜２６の右端から右方へはみ出している。さらに、各接着層部５２〜５６の先端部５２ａ〜５６ａが、各剥脱部２２〜２６の切り込み横断線３２ａ〜３６ａから下方へはみ出していると共に、末端部５２ｂ〜５６ｂが各剥脱区画部２２ｂ〜２６ｂの内寄り部位に接着している。また、同様に、接着層部５７〜５９は、下側の側端縁５７ｃ〜５９ｃが剥脱部２７〜２９から下方へはみ出し、先端部５７ａ〜５９ａが、各剥脱部２７〜２９の切り込み横断線３７ａ〜３９ａから右方へはみ出し、末端部５７ｂ〜５９ｂが各剥脱区画部２７ｂ〜２９ｂの内寄り部位に接着している。
【００５３】
上記のように隠蔽紙片３と本体紙片２とを重ね合わせて接着することにより、該本体紙片２の秘匿情報記入領域１８を隠蔽している。このような手順により、隠蔽葉書１を、本体紙片２の秘匿情報記入領域１８を隠蔽して封緘した形態（以下、封緘形態という）として、郵送により返信できるようにしている。
【００５４】
この隠蔽葉書１は、上記の封緘形態により、本体紙片２の秘匿情報記入領域１８に記入された秘匿情報を保護する効果に優れている。そして、隠蔽葉書１は、秘匿情報を記入して封緘形態にするまでの作業を容易且つ短時間で実施できることから、取扱性にも優れている。
【００５５】
封緘形態により返信用の宛先に郵送された隠蔽葉書１は、通常、返信先の受取人により開封される。この開封作業としては、隠蔽紙片３を、上記した開封開始端１６から対角方向へ向かって本体紙片２から開くように引き剥がしていく。これにより、開封開始端１６に近い接着層部５１〜５９から順に夫々に接着した剥脱部２１〜２９をむしり取っていき、隠蔽紙片３と本体紙片２とを引き剥がす。
【００５６】
ここで、隠蔽紙片３の下辺に沿って設けられた接着層部５７〜５９にあっては、上述したように、側端縁５７ｃ〜５９ｃが各剥脱部２７〜２９から下方（上下方向における開封開始端１６側）へはみ出していると共に、先端部５７ａ〜５９ａが各剥脱部２７〜２９の開封開始端１６側の端縁近傍に接着している（図４参照）。そのため、各剥脱部２７〜２９を開封開始端１６側から順に紙間剥離を生じさせ易い。そして、各剥脱部２７〜２９では、紙間剥離が、接着層部５７〜５９との接着部位から未接着部位へおよぶことから、図５（Ｂ）のように、各剥脱部２７〜２９が、本体紙片２からむしり取られるように分離し、その痕に剥離痕部８７〜８９が残る。詳述すれば、例えば接着層部５７と剥脱部２７の場合、図６（Ａ），（Ｂ）のように接着して封緘した後に開封する際には、接着層部５７の先端部５７ａ側から引き剥がされるため、剥脱部２７の開封開始端１６側から徐々に紙間剥離を生じさせ、該紙間剥離が剥脱部２７を形成する切り込み線３７の内部領域全体に亘って生じ得る。これにより、図６（Ｃ）のように、剥脱部２７を接着層部５７に接着したままで引き剥がす。そして、本体紙片２には、剥脱部２７がむしり取られた痕には剥離痕部８７が残る。
【００５７】
同様に、隠蔽紙片３の側辺に沿って設けられた接着層部５２〜５６にあっても、上述したように、側端縁５２ｃ〜５６ｃを各剥脱部２２〜２６から外側方（左右方向における開封開始端１６側）へはみ出していると共に、先端部５２ａ〜５６ａを各剥脱部２２〜２６の下端縁近傍に接着している（図４参照）。そのため、各剥脱部２２〜２６をその下端縁から順に紙間剥離を生じさせ易い。そして、各剥脱部２２〜２６では、紙間剥離が接着層部５２〜５６の接着部位から未接着部位へも連続しておよび、図５（Ｂ）のように、剥脱部２２〜２６を、本体紙片２からむしり取るようにして分離し、その痕に剥離痕部８２〜８６が残る。
【００５８】
さらに、隠蔽紙片３の上辺に沿って設けられた接着層部５１にあっても、上述したように、各分断接着部６１〜６４が剥脱部２１の下辺方へはみ出していると共に、一対となる切り込み横断線３１ａ間にはみ出していることから（図４参照）、各分断接着部６１〜６４が接着した剥脱区画部２１ａ〜２１ｈを開封開始端１６側から順に紙間剥離を生じさせ易い。そして、剥脱部２１の各剥脱区画部２１ａ〜２１ｈでは、紙間剥離が、側辺方から順に分断接着部６１〜６４毎にその接着部位から未接着部位へ順におよび、図５（Ｂ）のように、当該剥脱部２１を本体紙片２からむしり取るように分離し、その痕に剥離痕部８１が残る。
【００５９】
このように隠蔽紙片３を、開封開始端１６から対角方向へ引き剥がすことにより、各接着層部５１〜５９と夫々に接着した剥脱部２１〜２９を紙間剥離を生じさせてむしり取ることができる。尚、本実施例にあっては、各接着層部５１〜５９が、その先端部５１ａ〜５９ａを、各剥脱部２１〜２９の開封開始端１６側端部に形成した切り込み横断線３１ａ〜３９ａからはみ出すように形成している。これら先端部５１ａ〜５９ａは、上述したように端ダレ領域７２から夫々に形成されているため、その接着力が比較的弱い。そのため、これら先端部５１ａ〜５９ａが接着している剥脱区画部２１ａ〜２９ａは紙間剥離を生じずに本体紙片２に残ることもあり得る。このように剥脱区画部２１ａ〜２９ａが残った場合にあっても、各接着層部５１〜５９と接着した剥脱区画部２１ｂ〜２９ｂが紙間剥離してむしり取られることにより、本発明の意義が充分に発揮されている。そのため、本実施例にあっては、便宜上、剥脱部２１〜２９が本体紙片２からむしり取られているとしている。また、剥脱部２１にあっては、同様に、その剥脱区画部２１ａ，２１ｃ，２１ｅ，２１ｇが本体紙片２に残ることもあり得る。
【００６０】
隠蔽葉書１は、上述したように隠蔽紙片３と本体紙片２とを開封することにより、該本体紙片２の秘匿情報記入領域１８の秘匿情報を正確かつ確実に読み取ることができる。尚、開封後に隠蔽紙片３と本体紙片２とを折込線１１でハサミなどにより切断し、本体紙片２のみを保管することができ得る。
【００６１】
このように正規の受取人が開封した場合には、秘匿情報の秘密性が保持される。ところが、正規の受取人が受け取る前に開封されると、秘匿情報が悪用される危険もある。例えば、悪意を有する者が、正規の受取人が開封する前に、上述したように開封した場合、秘匿情報記入領域１８の記入されている秘匿情報を知得できる。その後に、本体紙片２から剥脱部２１〜２９をむしり取った剥離痕部８１〜８９に、スティック糊等の接着剤７９を塗布し、該剥離痕部８１〜８９と、隠蔽紙片３の各接着層部５１〜５９に接着している剥脱部２１〜２９とを再度接着することにより、再封緘することができる（図８参照）。そして、再封緘した隠蔽葉書１を正規の受取人が受け取ると、上述したように開封される。再封緘後の開封の際にあって、各剥脱部２１〜２９の、接着層部５１〜５９との接着部位では、該接着層部５１との強い接着状態が維持されていることから、各剥脱部２１〜２９又は剥離痕部８１〜８９で紙間剥離を生じてむしり取られる。一方、各剥脱部２１〜２９の、接着層部５１〜５９との未接着部位では、本体紙片２の剥離痕部８１〜８９と接着していることから、前記接着部位から分裂して、部分的に本体紙片２と接着したまま残る。詳述すれば、例えば接着層部５７と剥離痕部８７との場合、図８（Ａ）のように、剥脱痕部８７に接着剤７９を塗布して、図８（Ｂ）のように接着することにより、再封緘する。その後、図８（Ｃ）のように再開封すると、剥脱部２７の、接着層部５７との接着部位では、剥離痕部８７で紙間剥離を生じてむしり取られるが、未接着部位では、接着剤７９による接着力のために剥脱部２７で紙間剥離を生じ、当該剥脱部２７が引き裂かれてしまう。これにより、隠蔽紙片３側に接着した分裂部９７ａと、本体紙片２側に接着した残部９７ｂとに分裂すると共に、分裂部９７ａの紙間剥離した痕に剥離痕部８７’が残る。
【００６２】
このように、各剥脱部２１〜２９は、図７のように、隠蔽紙片３の接着層部５１〜５９と接着したまま剥がれる分裂部９１ａ〜９９ａと、本体紙片２と接着したまま残る残部９１ｂ〜９９ｂとに分裂すると共に、分裂部９１ａ〜９９ａの紙間剥離した痕に剥離痕部８１’〜８９’が残る。これは、最初に開封した場合態のように各剥脱部２１〜２９が正確に本体紙片２から引き剥がされている状態（図５（Ｂ）参照）と異なっている。このように、一度開封された後に再び封緘された場合には、再封緘したことによる痕跡が明確に残る。そのため、開封後に、隠蔽紙片３の接着層部５１〜５９や本体紙片２の剥脱部２１〜２９の痕を確認することによって、正規の受取人が開封する前に、他人が開封しているか否かを容易に判断できる。
【００６３】
本実施例の隠蔽葉書１は、上述したように、封緘後に最初に開封すると、隠蔽紙片３の各接着層部５１〜５９に接着した各剥脱部２１〜２９が、その切り込み線３１〜３９内で紙間剥離を生じて本体紙片２からむしり取られる。これにより、隠蔽葉書１が正規に郵送されて開封されたことが明らかであり、秘匿情報記入領域１８に記入されている秘匿情報の秘密性が保持されている。一方、開封された後に、スティック糊等により再度封緘された場合には、次に開放される際に、剥脱部２１〜２９が、接着層部５１〜５９と接着した分裂部９１ａ〜９９ａと本体紙片２に残った残部９１ｂ〜９９ｂに引き裂かれる（図７参照）。この引き裂かれた痕跡により、当該開封前に一度開封されて再封緘されたことが明確に分かる。これにより、秘匿情報記入領域１８に記入されている秘匿情報の秘密性が喪失していることも明らかとなるため、これに対する対処を迅速かつ適正に実施することができる。また、このように不適切に開封して再封緘しても、再封緘したことが明確に分かるために、不適切な開封する行為を抑制する効果も生じ得る。
【００６４】
このように本実施例の隠蔽葉書１は、不適切に開封されて再封緘された場合にあっても、既に開封されたことを示す痕跡を明確に残すことができるため、秘匿情報を保護する高い効果を発揮することができる。そして、上述したように、封緘作業と開封作業とを比較的容易かつ短時間で行うことができることから、隠蔽葉書１は、総じて、優れた取扱性とセキュリティ性とを有するものとなっている。
【００６５】
上述した実施例にあっては、隠蔽紙片の上辺に沿って設けた接着層部を複数に分断した構成としたものであるが、その他の構成として、複数に分断した接着層部を隠蔽紙片の側辺や下辺に沿って設ける構成としても良いし、又は、本体紙片の折込線を除く三辺全てに複数の剥脱部を形成し且つ隠蔽紙片の折込線を除く三辺全てに前記各剥脱部毎に夫々対応する一体形状の接着層部を設ける構成としても良い。また、各接着層部は、その先端部を、各剥脱部の剥がし口部（開封開始端）側の端部からはみ出すように形成した構成とすることもできる。そして、この場合には、切り込み横断線を設けない構成としても良い。いずれの場合にあっても、上記した本実施例と同様の作用効果を奏し得る。
【００６６】
また、上述した実施例の折込線を、ミシン目やプルトップ形状により形成した構成とすることもできる。このように折込線をミシン目やプルトップ形状の構成とした場合には、折込可能とすると共に、比較的容易に切断することも可能である。尚、このように切断可能な折込線を備えた構成の場合には、往復葉書以外の用途に適用され得る。
【００６７】
また、上述した実施例にあっては、隠蔽紙片３の下辺と側辺とが交わる角縁の外面に、開封の開始を示す記載をすることにより、当該角縁を開封開始端とした構成であるが、その他の構成として、該角縁に、傾斜方向に切断してなる開封用の剥がし口部を形成した構成とすることもできる。この場合には、往復葉書以外の用途に適用され得る。尚、前記の剥がし口部を形成し、かつ開封の開始を示す記載を印刷するようにしても良い。
【００６８】
本発明にあっては、上述した実施例に限定されるものではなく、その他の構成についても、本発明の趣旨の範囲内で適宜変更可能である。上記した実施例では、往復葉書としての隠蔽葉書について例示しているが、往復葉書以外の用途にも用いることができる。
【符号の説明】
【００６９】
１  隠蔽葉書（情報隠蔽帳票）
２  本体紙片
３  隠蔽紙片
１１  折込線
１６  開封開始縁
１８  秘匿情報記入領域
２１〜２９  剥脱部
２１ａ〜２１ｈ  剥脱区画部
２２ａ〜２９ａ  剥脱区画部
３１〜３９  切り込み線
３１ａ〜３９ａ  切り込み横断線
５１〜５９  接着層部
５１ａ〜５９ａ  先端部
５１ｂ〜５９ｂ  末端部
５１ｃ〜５９ｃ  側端部
６１〜６４  分断接着部
６２ａ〜６４ａ  分断先端部
６１ｂ〜６３ｂ  分断末端部
６７  離型層部
Ｘ１（ｘ１＋ｘ２＋ｘ３＋ｘ４），Ｘ２〜Ｘ９  接着長さ
Ｙ１〜Ｙ９  帯長さ  
【図１】
2010241024.tif 000003
【図２】
2010241024.tif 000004
【図３】
2010241024.tif 000005
【図４】
2010241024.tif 000006
【図５】
2010241024.tif 000007
【図６】
2010241024.tif 000008
【図７】
2010241024.tif 000009
【図８】
2010241024.tif 000010